(57)【特許請求の範囲】
【請求項１】
リールボディに取付られたメインシャフトと、両端部に装着された軸受けを介して前記メインシャフトに支持されたスプールと、前記メインシャフトの先端部に装着され、前記メインシャフトに設けられたネジとの係合により軸方向に変位可能なドラグノブと、前記スプールの先端側に設けられた先端側制動部材と、前記スプールの基端側に設けられた基端側制動部材とを備え、
前記先端側制動部材は、前記スプールの先端側端面に対向するように前記メインシャフトに対して回転不能かつ摺動可能に取り付けられた先端側制動板と、前記先端側制動板と前記スプール端面との間に介在する摩擦板とを含み、
前記基端側制動部材は、前記スプールの基端側端面に対向するように前記メインシャフトに対して回転不能に取り付けられ、かつ前記メインシャフトの基端側へ向かう摺動を所定位置において規制された基端側制動板と、前記基端側制動板と前記スプール端面との間に介在する摩擦板とを含み、
前記ドラグノブの軸方向位置に応じて、前記ドラグノブの端面からの押圧力により、前記スプールが前記先端側制動板および前記基端側制動板の間に挟持され、前記先端側制動板および前記基端側制動板と前記スプールの各端面の間に前記摩擦板が挟持押圧されて、前記スプールが、前記摩擦板を介して回転に対する制動力を受けるように構成されたことを特徴とする魚釣り用スピニングリールのドラグ機構。
【請求項２】
前記スプールの端面の少なくとも一方にはスプール端板が固定され、前記摩擦板は前記スプール端板に当接することを特徴とする請求項１に記載の魚釣り用スピニングリールのドラグ機構。
【発明の詳細な説明】
【０００１】
【発明の属する技術分野】
本発明は、スピニングリールにおけるスプールの回転に所定の制動力を作用させるためのドラグ機構に関する。
【０００２】
【従来の技術】
スピニングリールにおいては、糸巻き用のスプールがメインシャフトに回転自在に支持されている。釣糸にテンションが掛かった時にスプールは空転し、それにより、釣糸に掛かる負荷が緩和されて、釣糸が切れることが防止される。その際、釣糸に状況に応じた適度なテンションを維持することも必要であり、従って、スプールの空転に対して所定の制動力を作用させるためのドラグ機構が設けられている。
【０００３】
従来の一般的なドラグ機構の構造を、図４及び図５に示す。図４において、１はリールボディであり、メインシャフト２が取り付けられている。メインシャフト２の先端部分には、糸巻き用のスプール３が回転自在に支持されている。スプール３は、その外側に形成された糸巻部３ａを有し、内側には凹部が形成されて、その凹部内にドラグノブ４等からなるドラグ機構が配置されている。メインシャフト２の基端側にはローター５が支持され、回転伝達機構（図示省略）により回転駆動される。
【０００４】
スプール３の内側に配置されたドラグ機構等の詳細について、図５を参照して説明する。スプール３は、１個の軸受け６によりメインシャフト２に回転可能に支持されている。ドラグ機構は、スプール３の凹部端面に固定されたスプール端板７、メインシャフト２に対して回転不能に取り付けられた制動板８、スプール端板７と制動板８の間に挟まれた摩擦板（ドラグワッシャー）９、およびドラグノブ４からなる。ドラグノブ４の先端面にはドラグノブ端板１０が配置されている。ドラグノブ４は、メインシャフト２の先端部と螺合しており、回動させることにより、軸方向に移動する。ドラグノブ４を回動させてスプール３に接近する向きに変位させることにより、制動板８が摩擦板９をスプール端板７に向かって押圧する。その結果、制動板８、摩擦板９及びスプール端板７の相互間の摩擦力が増大し、スプール３が制動板８と摩擦的に係合することになる。それにより、メインシャフト２に回動不能に取り付けられた制動板８から、スプール３の回転に対する制動力が作用する。
【０００５】
【発明が解決しようとする課題】
上記構造のリールにおいては、スプール３の糸巻部３ａの内側にドラグ機構が収容されている構造上、スプール３とメインシャフト２の間に配置される軸受けは、１個または複数個が軸方向における一方の側のみに取り付けられている。従って、スプール３はメインシャフト２に一点のみで支持されている。そのため、糸に負荷が掛かったとき、スプール３をメインシャフト２の軸に対して傾けるモーメントの影響を受け易く、スプール３の円滑な回転が妨げられ、糸の繰り出しにムラが発生する場合がある。
【０００６】
また、ドラグ機構が糸巻部３ａの内側にあるために、糸巻部３ａの直径を大きくせざるを得ず、糸巻き量が大幅に減ってしまう。一方糸巻部３ａの内側に格納されるドラグ機構は、摩擦板の直径の大きさが制限され、したがってドラグ力の大きさにも限界があった。
【０００７】
本発明は、スプールの空転が円滑で、強いドラグ力が得られる魚釣り用スピニングリールのドラグ機構を提供することを目的とする。また、糸巻部の直径を小さくして、糸巻き量を増大させることが可能なドラグ機構を提供することを目的とする。
【０００８】
【課題を解決するための手段】
上記課題を解決するために、本発明の魚釣り用スピニングリールのドラグ機構は、リールボディに取付られたメインシャフトと、両端部に装着された軸受けを介して前記メインシャフトに支持されたスプールと、前記メインシャフトの先端部に装着され、前記メインシャフトに設けられたネジとの係合により軸方向に変位可能なドラグノブと、前記スプールの先端側に設けられた先端側制動部材と、前記スプールの基端側に設けられた基端側制動部材とを備える。前記先端側制動部材は、前記スプールの先端側端面に対向するように前記メインシャフトに対して回転不能かつ摺動可能に取り付けられた先端側制動板と、前記先端側制動板と前記スプール端面との間に介在する摩擦板とを含む。前記基端側制動部材は、前記スプールの基端側端面に対向するように前記メインシャフトに対して回転不能に取り付けられ、かつ前記メインシャフトの基端側へ向かう摺動を所定位置において規制された基端側制動板と、前記基端側制動板と前記スプール端面との間に介在する摩擦板とを含む。前記ドラグノブの軸方向位置に応じて、前記ドラグノブの端面からの押圧力により、前記スプールが前記先端側制動板および前記基端側制動板の間に挟持され、前記先端側制動板および前記基端側制動板と前記スプールの各端面の間に前記摩擦板が挟持押圧されて、前記スプールが、前記摩擦板を介して回転に対する制動力を受けるように構成される。
【０００９】
【発明の実施の形態】
本発明の上記構成によれば、スプールの両端が２個の軸受けで支持されているので、スプールは、メインシャフトの横方向に対する動きが確実に規制される。従って糸に負荷が掛かったときに生じる、スプールをメインシャフトの軸に対して傾けようとするモーメントに抗する力が大きくなる。その結果、摩擦板を介した回転制動力が付与される際のスプールの傾きが抑制され、スプールが円滑に回転して糸の繰り出しのムラが解消される。
【００１０】
また、スプールの両端に設けた２個の軸受けの間では、ドラグ機構を考慮することなく、糸巻部の直径を小さくできるので、糸巻き量が増大する。さらにドラグ機構は、糸巻部から外れた部位に配置されるので、摩擦板等の直径を十分な大きさにすることができる。従って、強いドラグ力を得るために効果的な構造が得られる。
【００１２】
また、スプールを両端面から挟み込むことで、釣糸に大きな負荷が掛かったとき、従来のドラグ機構よりもより円滑なスプールの空転（糸の繰り出し）を実現することができる。またスプールを両端面から挟み込むことで、より強いドラグ力を得ることも容易になる。
【００１３】
前記スプールの端面の少なくとも一方にはスプール端板が固定され、前記摩擦板は前記スプール端板に当接する構成としてもよい。
【００１４】
以下に、本発明の実施の形態について、図面を参照してより具体的に説明する。
【００１５】
図１は、本発明の一実施の形態における魚釣り用スピニングリールの要部を示す。メインシャフト２にはスプール１１が、その軸方向両端部に装着された軸受け１２ａ、１２ｂを介して回転自在に支持されている。スプール１１の先端側端面に対向するようにメインシャフト２に対して回転不能に円板状の先端側制動板１３ａが取り付けられている。先端側制動板１３ａは、メインシャフト２の軸方向に摺動可能である。また、スプール１１の基端側端面に対向するようにメインシャフト２に対して回転不能に円板状の基端側制動板１３ｂが取り付けられている。基端側制動板１３ｂは、メインシャフト２の先端から所定範囲の長さまではメインシャフト２の軸方向に摺動可能であるが、所定範囲の端部位置においてメインシャフト２の基端側へ向かう摺動を規制されている。この構造は、基端側制動板１３ｂをメインシャフト２に対して先端から装着することを可能としている。摺動を規制する構造は、従来周知のどのような構造であってもよい。スプール１１の両端面と先端側制動板１３ａ、及び基端側制動板１３ｂの間にはそれぞれ、円板状の摩擦板１４ａ、１４ｂが挟持されている。
【００１６】
ドラグノブ１５は、メインシャフト２の先端部と螺合しており、回動させることにより、軸方向に移動する。ドラグノブ１５には、先端側制動板１３ａに面して端面板１６が固定されている。スプール１１の先端側端部には凹部が形成され、先端側制動板１３ａ、摩擦板１４ａ、ドラグノブ１５の一部がその凹部内に収容されている。また、凹部の内周面には溝が形成され、Ｃリング１７が取り付けられている。このＣリング１７により、先端側制動板１３ａのメインシャフト２先端側への摺動を規制している。ドラグノブ１５の端部には、音出しピン１８が設けられ、バネにより軸方向に先端側制動板１３ａに向かって付勢されている。音出しピン１８の先端は、先端側制動板１３ａの面に多数形成された溝に係合し、ドラグノブ１５を回動させたときに、「カチッ、カチッ」というクリック音を発生させる。
【００１７】
上記構成のドラグ機構の動作は、以下の通りである。ドラグノブ１５を回動させてスプール１１に接近させると、先端側制動板１３ａがスプール１１に向かって押圧され、スプール１１は、摩擦板１４ａ、１４ｂを介して先端側制動板１３ａ及び基端側制動板１３ｂの間に挟み込まれる。それにより、スプール１１と摩擦板１４ａ、１４ｂの間に摩擦力が作用して、スプール１１は先端側制動板１３ａ及び基端側制動板１３ｂと摩擦的に係合し、スプール３の回転に対する制動力が作用する。
【００１８】
上記構成によれば、スプール１１の両端が２個の軸受けで支持されているので、スプール１１は、メインシャフト２の横方向に対する動きが確実に規制される。従って糸に負荷が掛かったときに生じる、スプール１１をメインシャフト２の軸に対して傾けようとするモーメントに抗する力が大きくなり、スプール１１の傾きが抑制される。その結果、スプール１１が円滑に回転し、糸の繰り出しのムラが解消される。
【００１９】
また、スプール１１を両端面から挟み込むことで、釣糸に大きな負荷が掛かったとき、従来のドラグ機構よりもより円滑なスプール１１の空転（糸の繰り出し）を実現することができる。スプール１１を両端面から挟み込むことで、強いドラグ力を得ることも容易になる。更に、ドラグ機構がスプール１１の外側に配置されるため、糸巻部との関係を考慮することなく、摩擦板等の直径を十分な大きさにすることができる。従って、強いドラグ力を得るために効果的な構造が得られる。さらに、糸巻部の直径を小さくすることができ、糸巻き量が増大する。
【００２０】
上記の構成において、スプール１１の両端面に別途スプール端板を固定して、摩擦板１４ａ、１４ｂに当接させる構造とすることもできる。その場合、スプール端板の寸法、形状、材質、表面状態等を適切に選択することにより、摩擦板１４ａ、１４ｂとの間に十分な摩擦力を作用させることが容易になる。
【００２１】
図２は、上記のドラグ機構の一部を変更した構造の例を示す。このドラグ機構においては、図１におけるＣリング１７に代えて、ねじ付きリング１９が用いられている。このねじ付きリング１９は、スプール１１の先端側端部に設けられた凹部の内周壁にねじにより固定され、先端側制動板１３ａのメインシャフト２先端側への摺動を規制している。
【００２２】
また、図３は、図１における先端側制動板１３ａ及びその周辺部分の構造の変形例である。図３において、先端側制動板２０は、図１の先端側制動板１３ａと比べて、径が小さく、厚み（軸方向の長さ）が大きい。スプール２１は、先端側端部の凹部内に更に凹部２２を有し、先端側制動板２０の一部が収容されている。ドラグノブ２３も、先端側制動板２０に対向する端面部に凹部２４を有し、先端側制動板２０の一部が収容されている。
【００２３】
スプール２１の凹部２２の端面には、ワッシャー２５が、スプール２１に対して回転不能なように設置されている。ワッシャー２５と先端側制動板２０の間に、摩擦板２６が配置されている。２７は、ワッシャー２５及び摩擦板２６の抜け止め用のＣリングである。先端側制動板２０は、ドラグノブ２３に対向する側に径大部２０ａを有して段部が形成されている。径大部２０ａは押え板２８により係止されて、ドラグノブ２３から外れないようになっている。この構造により、先端側制動板２０は、メインシャフト２に対しては回転不能であるが、ドラグノブ２３に対しては回転可能である。
【００２４】
スプール２１の凹部２２、ドラグノブ２３の凹部２４は、いずれか一方のみを形成して先端側制動板２０を収容する構造としてもよい。
【００２５】
上記各実施の形態において、各摩擦板が、スプールまたは制動板に固着された構造、またはどちらにも固着されない構造のいずれの構造としてもよい。
【００２６】
【発明の効果】
本発明のドラグ機構によれば、魚とのファイト中、糸が破断するほどの負荷が掛かる前に、スプールが糸を繰り出す方向に、より円滑に空転することが可能になる。
【００２７】
また、従来装置に比べてより大きなドラグ板（摩擦板）が使用可能になり、またスプールの両端面を挟み込めるため、より強いドラグ力を提供できる。
【００２８】
更に、同じ大きさのリールでより多くの糸が巻き取れるリールを提供することが可能になる。逆に言えば、同じ糸巻き量を持つリールにおいて、よりコンパクトかつ軽量なリールを提供することができる。
【図面の簡単な説明】
【図１】  本発明の一実施の形態における魚釣り用スピニングリールのドラグ機構を示す断面図
【図２】  図１のドラグ機構のＣリング部分を変更した構造を示す断面図
【図３】  図１のドラグ機構の先端側制動板及びその周辺部分を変更した構造を示す断面図
【図４】  従来例の魚釣り用スピニングリールのドラグ機構を示す要部を切り欠いて示した正面図
【図５】  図４のスピニングリールのドラグ機構を拡大して示す断面図
【符号の説明】
１  リールボディ
２  メインシャフト
３、１１、２１  スプール
３ａ  糸巻部
４、１５、２３  ドラグノブ
５  ローター
６、１２ａ、１２ｂ  軸受け
７  スプール端板
８  制動板
９  摩擦板
１０  ドラグノブ端板
１３ａ、２０  先端側制動板
１３ｂ  基端側制動板
１４ａ、１４ｂ、２６  摩擦板
１６  端面板
１７、２７  Ｃリング
１８  音出しピン
１９  ねじ付きリング
２０ａ  径大部
２２、２４  凹部
２５  ワッシャー
２８  押え板
【図１】
0003921128.tif 000002
【図２】
0003921128.tif 000003
【図３】
0003921128.tif 000004
【図４】
0003921128.tif 000005
【図５】
0003921128.tif 000006